Podtech/llm-jp-corpus-v4-ja_patent huggingface dataset:
【手続補正書】
【提出日】令和2年1月7日(2020.1.7)
【手続補正１】
【補正対象書類名】特許請求の範囲
【補正対象項目名】全文
【補正方法】変更
【補正の内容】
【特許請求の範囲】
【請求項１】
癌の治療を必要とする被験体において癌を治療するための医薬組成物であって、該組成物が、
(i) 被験体において癌性細胞により発現される第1の抗原に結合する標的化部分に共有結合するスーパー抗原を含むスーパー抗原コンジュゲート、および／または
(ii) 以下の活性(a) T細胞シグナル伝達の活性化の刺激、(b) 癌性細胞とT細胞の間のT細胞抑制性シグナル伝達の抑制、および/または(c) ヒトIgG4免疫グロブリン媒介性経路を介するT細胞の拡大、活性化および/または活性をもたらす抑制性シグナル伝達の抑制の1つ以上をなし得る免疫増強物質を含み、(i)と(ii)は組み合わせて使用され、それにより癌性細胞に対する被験体における免疫応答を強化して、癌が治療される、組成物。
【請求項２】
スーパー抗原が、免疫増強物質の前、同時または後に被験体に投与される、請求項１記載の組成物。
【請求項３】
スーパー抗原が、T細胞の表面上のT細胞受容体に結合する、請求項１または２記載の組成物。
【請求項４】
スーパー抗原が、ブドウ球菌エンテロトキシンAまたはその免疫学的バリアントおよび/または断片を含む、請求項１〜３いずれか一項記載の組成物。
【請求項５】
第1の抗原が細胞表面抗原である、請求項１記載の組成物。
【請求項６】
細胞表面抗原が5T4癌抗原である、請求項５記載の組成物。
【請求項７】
標的化部分が抗体である、請求項１〜６いずれか一項記載の組成物。
【請求項８】
抗体が抗5T4抗体である、請求項７記載の組成物。
【請求項９】
抗5T4抗体が、5T4癌抗原に結合するFab断片を含む、請求項８記載の組成物。
【請求項１０】
抗5T4抗体が、配列番号：8のアミノ酸残基1〜458を含む重鎖、および配列番号：9のアミノ酸残基1〜214を含む軽鎖を含む、請求項８または９記載の組成物。
【請求項１１】
スーパー抗原が、配列番号：7のアミノ酸残基226〜458またはその免疫学的に反応性のバリアントおよび/または断片を含む、請求項１〜１０いずれか一項記載の組成物。
【請求項１２】
T細胞により発現されるプログラム細胞死-1タンパク質(PD-1)に結合するプログラム細胞死リガンド(PD-L)が、癌性細胞の表面に発現される、請求項１〜１１いずれか一項記載の組成物。
【請求項１３】
免疫増強物質が、T細胞の表面上に発現されるPD-1にPD-Lが結合することを防ぐ抗PD-1抗体である、請求項１２記載の組成物。
【請求項１４】
抗PD-1抗体が、ヒトIgG4アイソタイプを有するかまたはヒトIgG4アイソタイプに基づく、請求項１３記載の組成物。
【請求項１５】
抗PD-1抗体が、ニボルマブおよびペンブロリズマブからなる群より選択される、請求項１３または１４記載の組成物。
【請求項１６】
免疫増強物質が、抗PD-L1抗体である、請求項１２記載の組成物。
【請求項１７】
抗PD-L1抗体が、アテゾリズマブおよびMEDI4736からなる群より選択される、請求項１６記載の組成物。
【請求項１８】
癌が、黒色腫、乳癌、子宮頸癌、結腸直腸癌、胃癌、非小細胞肺癌、卵巣癌、膵臓癌、前立腺癌、腎臓細胞癌および皮膚癌からなる群より選択される、請求項１〜１７いずれか一項記載の組成物。
【請求項１９】
被験体において癌性細胞により発現される第1の抗原に結合する標的化部分に共有結合するスーパー抗原を含むスーパー抗原コンジュゲートの有効量、被験体において以下の活性(a) T細胞シグナル伝達の活性化の刺激、(b) 癌性細胞とT細胞の間のT細胞抑制性シグナル伝達の抑制、および/または(c)ヒトIgG4免疫グロブリン媒介性経路を介するT細胞の拡大、活性化および/または活性をもたらす抑制性シグナル伝達の抑制の1つ以上をなし得る免疫増強物質の有効量、ならびに薬学的に許容され得る賦形剤を含む、医薬組成物。
【請求項２０】
スーパー抗原がT細胞の細胞表面に発現されるT細胞受容体に結合する、請求項１９記載の組成物。
【請求項２１】
スーパー抗原が、ブドウ球菌エンテロトキシンAまたはその免疫学的バリアントおよび/または断片を含む、請求項１９または２０記載の組成物。
【請求項２２】
第1の抗原が細胞表面抗原である、請求項１９〜２１いずれか一項記載の組成物。
【請求項２３】
該抗原が5T4癌抗原である、請求項１９〜２２いずれか一項記載の組成物。
【請求項２４】
標的化部分が抗体である、請求項１９〜２３いずれか一項記載の組成物。
【請求項２５】
該抗体が抗5T4抗体である、請求項２４記載の組成物。
【請求項２６】
該抗体が5T4抗原に結合するFab断片を含む、請求項２５記載の組成物。
【請求項２７】
抗5T4抗体が、配列番号：8のアミノ酸残基1〜458を含む重鎖、および配列番号：9のアミノ酸残基1〜214を含む軽鎖を含む、請求項２５または２６記載の組成物。
【請求項２８】
スーパー抗原が、配列番号：7のアミノ酸残基226〜458またはその免疫学的に反応性のバリアントおよび/または断片を含む、請求項１９〜２７いずれか一項記載の組成物。
【請求項２９】
免疫増強物質が、癌性細胞において発現されるPD-LがT細胞により発現されるPD-1に結合することを防ぐ、請求項１９〜２８いずれか一項記載の組成物。
【請求項３０】
免疫増強物質が、抗PD-1抗体である、請求項２９記載の組成物。
【請求項３１】
該抗体が、ヒトIgG4アイソタイプを有するかまたはヒトIgG4アイソタイプに基づく、請求項３０記載の組成物。
【請求項３２】
抗PD-1抗体が、ニボルマブおよびペンブロリズマブからなる群より選択される、請求項３０または３１記載の組成物。
【請求項３３】
免疫増強物質が、抗PD-L1抗体である、請求項２９記載の組成物。
【請求項３４】
抗PD-L1抗体が、アテゾリズマブおよびMEDI4736からなる群より選択される、請求項３３記載の組成物。
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2019501927.tif 000001
［式中、Ｒ１は、
【化２】
2019501927.tif 000002
（式中、Ｒ６は、Ｈ又はＣＨ３であり、そして；
Ｒ７は、Ｈ、ＮＨ２、−ＮＨ−Ｃ１−４アルキル又は−ＮＨ−Ｃ３−４シクロアルキル、又は−ＮＨ−複素環である）から選択され；
Ｒ２は、Ｈ、Ｆ、Ｃｌ、ＣＨ３、又はＣＨ２ＯＨから選択され；
Ｒ３は、以下から選択され
【化３】
2019501927.tif 000003
（式中、Ｙは、ＣＮ、
【化４】
2019501927.tif 000004
である）；
Ｒ４は、Ｈ、Ｆ、Ｃｌ又はＯＭｅから選択され；
各Ｒ５は、独立して、Ｈ、Ｃ１−４アルキル、又はＣ３−４シクロアルキルから選択され；
Ｒ１〜Ｒ５について上記に定義された各基は、可能な場合、部分的に又は完全にハロゲン化されていてもよい］
で示される化合物；
又はその薬学的に許容し得る塩若しくは水和物。
【請求項２】
Ｒ１が、
【化５】
2019501927.tif 000005
（式中、Ｒ６は、Ｈ又はＣＨ３であり、そして；
Ｒ７は、Ｈ、ＮＨ２、−ＮＨ−Ｃ１−４アルキル又は−ＮＨ−Ｃ３−４シクロアルキル、又は−ＮＨ−複素環である）から選択され
Ｒ２が、Ｈ、Ｆ、Ｃｌ、ＣＨ３、又はＣＨ２ＯＨから選択され；
Ｒ３が、以下から選択され；
【化６】
2019501927.tif 000006
（式中、Ｙは、ＣＮ、
【化７】
2019501927.tif 000007
である）
Ｒ４が、Ｈ、Ｆ、Ｃｌ又はＯＭｅから選択され
各Ｒ５が、独立して、Ｈ、Ｃ１−４アルキル、又はＣ３−４シクロアルキルから選択され；
Ｒ１〜Ｒ５について上記に定義された各基が、可能な場合、部分的に又は完全にハロゲン化されていてもよい、請求項１に記載の化合物；
又はその薬学的に許容し得る塩若しくは水和物。
【請求項３】
Ｒ１が、
【化８】
2019501927.tif 000008
（式中、Ｒ６は、Ｈ又はＣＨ３であり、そして；
Ｒ７は、Ｈ又はＮＨ２である）から選択され；
Ｒ２が、Ｈ、Ｆ、Ｃｌ、ＣＨ３又はＣＨ２ＯＨから選択され；
Ｒ３が、以下から選択され
【化９】
2019501927.tif 000009
（式中、Ｙは、ＣＮ、
【化１０】
2019501927.tif 000010
である）；
Ｒ４が、Ｈ、Ｆ、Ｃｌ又はＯＭｅから選択され；
各Ｒ５が、独立して、Ｈ、Ｃ１−４アルキル、又はＣ３−４シクロアルキルから選択され；
Ｒ１〜Ｒ５について上記に定義された各基が、可能な場合、部分的に又は完全にハロゲン化されていてもよい、請求項１に記載の化合物；
又はその薬学的に許容し得る塩若しくは水和物。
【請求項４】
Ｒ１が、
【化１１】
2019501927.tif 000011
（式中、Ｒ６は、Ｈ又はＣＨ３である）から選択され；
Ｒ２が、ＣＨ２ＯＨであり；
Ｒ３が、以下から選択され
【化１２】
2019501927.tif 000012
（式中、Ｙは、
【化１３】
2019501927.tif 000013
である）；
Ｒ４が、Ｈ又はＦから選択され；
各Ｒ５が、独立して、Ｈ、Ｃ１−４アルキル、又はＣ３−４シクロアルキルから選択され；
Ｒ１〜Ｒ５について上記に定義された各基が、可能な場合、部分的に又は完全にハロゲン化されていてもよい、請求項１に記載の化合物；
又はその薬学的に許容し得る塩若しくは水和物。
【請求項５】
以下の表に示される化合物のいずれかから選択される化合物：
【表１】
2019501927.tif 000014
2019501927.tif 000015
2019501927.tif 000016
2019501927.tif 000017
2019501927.tif 000018
2019501927.tif 000019
又はその薬学的に許容し得る塩若しくは水和物。
【請求項６】
請求項１〜５のいずれか一項に記載の化合物又はその薬学的に許容し得る塩若しくは水和物を含む、医薬組成物。
【請求項７】
関節リウマチ、全身性エリテマトーデス、ループス腎炎、シェーグレン症候群、血管炎、強皮症、喘息、アレルギー性鼻炎、アレルギー性湿疹、Ｂ細胞リンパ腫、多発性硬化症、若年性関節リウマチ、若年性特発性関節炎、炎症性腸疾患、移植片対宿主病、乾癬性関節炎、強直性脊椎炎、及びブドウ膜炎からなる群より選択される少なくとも１つの疾患を処置するための、請求項６に記載の医薬組成物。
【請求項８】
関節リウマチ、全身性エリテマトーデス、ループス腎炎、シェーグレン症候群、血管炎、強皮症、喘息、アレルギー性鼻炎、アレルギー性湿疹、Ｂ細胞リンパ腫、多発性硬化症、若年性関節リウマチ、若年性特発性関節炎、炎症性腸疾患、移植片対宿主病、乾癬性関節炎、強直性脊椎炎、及びブドウ膜炎からなる群より選択される少なくとも１つの疾患の処置のための医薬の製造のための、請求項１〜５のいずれか一項に記載の化合物又はその薬学的に許容し得る塩若しくは水和物の使用。
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
必要とする個体における肝性脳症を処置または予防するための薬剤の製造のための、１つ以上の食品原料および１つ以上の治療剤の使用であって、
１つ以上の治療剤は１つ以上の食品原料と一緒に混合されることを特徴とする、使用。
【請求項２】
１つ以上の治療剤は緩下剤を含むことを特徴とする、請求項１に記載の使用。
【請求項３】
緩下剤はポリエチレングリコールを含むことを特徴とする、請求項２に記載の使用。
【請求項４】
ポリエチレングリコールはＰＥＧ３３５０であることを特徴とする、請求項３に記載の使用。
【請求項５】
緩下剤はラクツロースを含むことを特徴とする、請求項２に記載の使用。
【請求項６】
１つ以上の治療剤は抗生物質を含むことを特徴とする、請求項１に記載の使用。
【請求項７】
抗生物質はリファキシミンを含むことを特徴とする、請求項６に記載の使用。
【請求項８】
抗生物質はネオマイシンを含むことを特徴とする、請求項６に記載の使用。
【請求項９】
抗生物質はメトロニダゾールを含むことを特徴とする、請求項６に記載の使用。
【請求項１０】
抗生物質はニタゾキサニドを含むことを特徴とする、請求項６に記載の使用。
【請求項１１】
１つ以上の治療剤は安息香酸ナトリウムを含むことを特徴とする、請求項１に記載の使用。
【請求項１２】
１つ以上の治療剤はＡＳＴ−１２０を含むことを特徴とする、請求項１に記載の使用。
【請求項１３】
１つ以上の治療剤はＯＣＲ−００２を含むことを特徴とする、請求項１に記載の使用。
【請求項１４】
１つ以上の治療剤はＬ−オルニチン−Ｌ−アスパラギン酸塩を含むことを特徴とする、請求項１に記載の使用。
【請求項１５】
１つ以上の治療剤は安息香酸ナトリウムおよびＬ−オルニチン−Ｌ−アスパラギン酸塩を含むことを特徴とする、請求項１に記載の使用。
【請求項１６】
１つ以上の治療剤は電解質を含むことを特徴とする、請求項１に記載の使用。
【請求項１７】
治療送達モダリティは、１つ以上の治療剤が中に組み込まれた食品バーを含むことを特徴とする、請求項１に記載の使用。
【請求項１８】
治療送達モダリティは、１つ以上の治療剤が中に組み込まれた食事を含むことを特徴とする、請求項１に記載の使用。
【請求項１９】
治療送達モダリティは、１つ以上の治療剤が中に組み込まれた飲料を含むことを特徴とする、請求項１に記載の使用。
【請求項２０】
治療送達モダリティは、１つ以上の治療剤および１つ以上の食品原料の均質な混合物を含むことを特徴とする、請求項１に記載の使用。
【請求項２１】
１つ以上の食品原料と混合された１つ以上の治療剤が加熱されることを特徴とする、請求項１に記載の使用。
【請求項２２】
１つ以上の食品原料と混合された１つ以上の治療剤が、１つ以上の食品原料と混合された１つ以上の治療剤を加熱された結合剤と混合することによって、加熱されることを特徴とする、請求項２１に記載の使用。
【請求項２３】
結合剤はカカオバターを含むことを特徴とする、請求項２２に記載の使用。
【請求項２４】
結合剤はココナッツオイルを含むことを特徴とする、請求項２２に記載の使用。
【請求項２５】
加熱された結合剤は華氏９０度超の温度まで加熱され、１つ以上の治療剤は、加熱された結合剤が華氏８０度未満の温度まで冷却された時に、加熱された結合剤と混合されることを特徴とする、請求項２２に記載の使用。
【請求項２６】
１つ以上の食品原料はＵＳＰ−ＮＦグレードの原料であることを特徴とする、請求項１−２５のいずれか１つに記載の使用。
【手続補正書】
【提出日】令和1年12月18日(2019.12.18)
【手続補正１】
【補正対象書類名】明細書
【補正対象項目名】０３５５
【補正方法】変更
【補正の内容】
【０３５５】
複数用量試験において任意の患者に観察されたバイタルサインまたはＥＣＧには、臨床的に重大な異常は見られなかった。
本件出願は、以下の構成の発明を提供する。
（構成１）
必要とする対象において、治験責任医師による包括的評価レベル、湿疹面積及び重症度インデックス（ＥＡＳＩ）スコア、アトピー性皮膚炎に冒された解剖学的部位の面積のパーセンテージ、アトピー性皮膚炎スコアリング（ＳＣＯＲＡＤ）、アトピー性皮膚炎に冒された体表面積、または視覚的アナログ尺度（ＶＡＳ）掻痒スコアのうちの少なくとも１つを減少させる方法であって、１日当たり最大４ｇのＤＧＬＡまたはその誘導体を対象に経口投与することを含む、方法。
（構成２）
１日当たり約０．２〜約３ｇのＤＧＬＡまたはその誘導体が前記対象に経口投与される、構成１に記載の方法。
（構成３）
１日当たり約０．５ｇ、約１ｇ、または約２ｇのＤＧＬＡまたはその誘導体が前記対象に経口投与される、構成１に記載の方法。
（構成４）
１日当たり１ｇ未満のＤＧＬＡまたはその誘導体が前記対象に経口投与される、構成１に記載の方法。
（構成５）
前記対象は小児対象である、構成１〜４のいずれか一項に記載の方法。
（構成６）
前記ＤＧＬＡまたはその誘導体は、少なくとも約２週間、少なくとも約４週間、または少なくとも約８週間の期間、前記対象に投与される、構成１〜５のいずれか一項に記載の方法。
（構成７）
薬学的組成物は、液体または半液体形態のＤＧＬＡまたはその誘導体を含む、構成１〜６のいずれか一項に記載の方法。
（構成８）
前記対象は、基準レベルと比較して少ないベースライン好酸球数を有すると決定される、構成１〜７のいずれか一項に記載の方法。
（構成９）
必要とする対象において疾患または障害を治療する方法であって、ＤＧＬＡまたはその誘導体を含む薬学的組成物を前記対象に経口投与することを含む、方法。
（構成１０）
前記疾患または障害は、尋常性ざ瘡、酒さ性ざ瘡、軽度、中程度、もしくは重度のアトピー性皮膚炎、乾癬、掻痒／かゆみ、放射線防護、皮膚乾燥、滑らかな皮膚、健康な皮膚、抗老化、及び光防護を含む皮膚障害及び皮膚疾患；膀胱癌、膀胱瘤、血尿、間質性膀胱炎、神経因性膀胱、ペロニー病、前立腺疾患、失禁、尿路感染症、及び膀胱尿管逆流を含む泌尿器障害及び泌尿器疾患；腎不全、急性腎傷害、慢性腎疾患、及び多発性嚢胞腎を含む腎疾患及び腎障害；強直性脊椎炎、線維筋痛症、痛風、感染性関節炎、狼瘡、変形性関節症、リウマチ性多発筋痛症、乾癬性関節炎、反応性関節炎、関節リウマチ、強皮症を含むリウマチ性疾患；炎症性肺疾患、気道感染症、胸膜腔疾患、肺血管疾患、肺炎、肺塞栓症、及び肺癌を含む呼吸器疾患；ならびに急性心虚血事象、急性心筋梗塞、狭心症、不整脈、心房細動、粥状動脈硬化、動脈細動、心不全、心血管疾患、慢性心不全、慢性安定狭心症、うっ血性心不全、冠動脈疾患、冠動脈性心疾患、深部静脈血栓症、糖尿病、真性糖尿病、糖尿病性神経障害、真性糖尿病を有する対象における拡張障害、浮腫、本態性高血圧、最終的な肺塞栓症、脂肪性肝疾患、心疾患、心不全、ホモ接合性家族性高コレステロール血症（ＨｏＦＨ）、ホモ接合性家族性シトステロール血症、高コレステロール血症、高脂血症、高血圧症、高トリグリセリド血症、代謝症候群、混合型脂質異常症、中程度から軽度の心不全、心筋梗塞、肥満管理、発作性心房細動／動脈細動／細動／粗動、発作性上室性頻拍（ＰＳＶＴ）、特に重度のまたは急激に発症する浮腫、血小板凝集、原発性高コレステロール血症、原発性高脂血症、肺動脈性高血圧症、肺高血圧症、再発性の血行動態的に不安定な心室性頻脈（ＶＴ）、再発性心室性不整脈、再発心室細動（ＶＦ）、破裂動脈瘤、シトステロール血症、脳卒中、上室性頻拍、症候性心房細動／粗動、頻拍、ＩＩ型糖尿病、血管疾患、静脈血栓塞栓症、ならびに心室性不整脈を含む心血管障害から選択される、構成９に記載の方法。
（構成１１）
前記薬学的組成物は、カプセルシェルに封入されたＤＧＬＡまたはその誘導体を含む、構成９に記載の方法。
（構成１２）
前記薬学的組成物は、液体または半液体形態のＤＧＬＡまたはその誘導体を含む、構成９〜１１のいずれか一項に記載の方法。
（構成１３）
前記組成物は、１日当たり最大約１ｇのＤＧＬＡまたはその誘導体を提供するのに十分な量で前記対象に投与される、構成９〜１２のいずれか一項に記載の方法。
（構成１４）
前記組成物は、１日当たり約０．２ｇ〜約８ｇのＤＧＬＡまたはその誘導体を提供するのに十分な量で前記対象に投与される、構成９〜１３のいずれか一項に記載の方法。
（構成１５）
前記組成物は、１日当たり約１ｇ〜約４ｇのＤＧＬＡまたはその誘導体を提供するのに十分な量で前記対象に投与される、構成９〜１１のいずれか一項に記載の方法。
（構成１６）
前記組成物は、１日当たり１〜８カプセル投与される、構成９〜１５のいずれか一項に記載の方法。
（構成１７）
各カプセルは、約２００ｍｇ〜約１ｇのＤＧＬＡまたはその誘導体を含む、構成９〜１６のいずれか一項に記載の方法。
（構成１８）
前記ＤＧＬＡまたはその誘導体は、少なくとも約２週間、少なくとも約４週間、または少なくとも約８週間の期間、前記対象に投与される、構成９〜１７のいずれか一項に記載の方法。
（構成１９）
前記対象は小児対象である、構成９〜１８のいずれか一項に記載の方法。
（構成２０）
前記対象は、少ない好酸球細胞数を有する、構成９〜１９のいずれか一項に記載の方法。
（構成２１）
前記少ない好酸球細胞数は、基準レベルに基づいて決定される、構成２０のいずれか一項に記載の方法。
【手続補正書】
【提出日】令和1年12月23日(2019.12.23)
【手続補正１】
【補正対象書類名】明細書
【補正対象項目名】００１７
【補正方法】変更
【補正の内容】
【００１７】
プロリポソーム粉末分散物と賦形剤との特定のw/w比に対する本発明の経口剤形の所望のPK特性の相関の別の例では、本発明の経口剤形におけるプロリポソーム粉末分散物とデンプングリコール酸ナトリウム（ＳＳＧ）とのw/w比は、（１.０：０.０５０）、（１.０：０.０５１）、（１.０：０.０５２）、（１.０：０.０５３）、（１.０：０.０５４）、（１.０：０.０５５）、（１.０：０.０５６）、（１.０：０.０５７）、（１.０：０.０５８）、（１.０：０.０５９）、（１.０：０.０６０）、（１.０：０.０６１）、（１.０：０.０６２）、（１.０：０.０６３）、（１.０：０.０６４）、（１.０：０.０６５）、（１.０：０.０６６）、（１.０：０.０６７）、（１.０：０.０６８）、（１.０：０.０６９）、（１.０：０.０７０）、（１.０：０.０７１）、（１.０：０.０７２）、（１.０：０.０７３）、（１.０：０.０７４）、（１.０：０.０７５）、（１.０：０.０７６）、（１.０：０.０７７）、（１.０：０.０７８）、（１.０：０.０７９）、（１.０：０.０８０）、（１.０：０.０９）、（１.０：０.１０）、（１.０：０.２０）又はその中の任意の比であり得る。好ましい経口剤形は、（a）：（b）が（１.０：２.０）のw/w比のＴＵ及びＤＳＰＣのプロリポソーム粉末分散物を、ＳＳＧと（１.０：０.０６４）のw/w比で組み合わせて含有する。
【手続補正２】
【補正対象書類名】特許請求の範囲
【補正対象項目名】全文
【補正方法】変更
【補正の内容】
【特許請求の範囲】
【請求項１】
プロリポソーム粉末分散物であって、以下、
（a）テストステロンウンデカノエート（testosterone undecanoate）（ＴＵ）及び
（b）ジステアロイルホスファチジルコリン（ＤＳＰＣ）、
を含有し、ここで、（ＴＵ）及び（ＤＳＰＣ）が分散物中に、（１：１）〜（１：４）の範囲である（a）：（b）の重量/重量（w/w）比で存在する、プロリポソーム粉末分散物。
【請求項２】
w/w比（a）：（b）が、（１：２）である、請求項１に記載のプロリポソーム粉末分散物。
【請求項３】
請求項１から２のいずれか一項に記載のプロリポソーム粉末分散物を含有する経口剤形。
【請求項４】
少なくとも１つの薬学的に許容される賦形剤をさらに含有する、請求項３に記載の経口剤形。
【請求項５】
前記少なくとも１つの薬学的に許容される賦形剤が、微結晶セルロース又はデンプングリコール酸ナトリウム、あるいはその両方である、請求項４に記載の経口剤形。
【請求項６】
微結晶セルロースを含有し、前記プロリポソーム粉末分散物及び微結晶セルロースが、（１：１）〜（１：２）の範囲であるw/w比、又はその中の任意の比率で存在する、請求項５に記載の経口剤形。
【請求項７】
デンプングリコール酸ナトリウムを含有し、前記プロリポソーム粉末分散物及びデンプングリコール酸ナトリウムが、（１：０.０５０）〜（１：０．０９）の範囲であるw/w比、又はその中の任意の比率で存在する、請求項５に記載の経口剤形。
【請求項８】
微結晶セルロース及びデンプングリコール酸ナトリウムを含有し、前記プロリポソーム粉末分散物、微結晶セルロース、及びデンプングリコール酸ナトリウムが、１：１．０６：０．０６４のw/w/w比で存在する、請求項５に記載の経口剤形。
【請求項９】
前記剤形がカプセルである、請求項３から８のいずれか一項に記載の経口剤形。
【請求項１０】
前記カプセルが、腸溶性コーティング組成物でコーティングされている、請求項９に記載の経口剤形。
【請求項１１】
前記コーティング組成物がメタクリル酸コポリマーを含有する、請求項１０に記載の経口剤形。
【請求項１２】
テストステロン補充療法（ＴＲＴ）に使用するための、請求項３から１１のいずれか一項に記載の経口剤形であって、
前記剤形の臨床的有効性が食物の影響とは無関係である、経口剤形。
【請求項１３】
低テストステロンレベルを治療するための請求項１２に記載の経口剤形であって、前記低テストステロンレベルが、損傷、感染症、精巣の喪失、化学療法、放射線治療、遺伝的異常、ヘモクロマトーシス、下垂体の機能不全、炎症性疾患、薬物の副作用、慢性腎不全、肝硬変、ストレス、アルコール中毒、肥満 、カルマン症候群（Kallman’s syndrome）、男性性腺機能低下症、又はテストステロン欠乏症（TDS）の結果から生じる、経口剤形。
【請求項１４】
治療前血清テストステロン濃度が３００ ng/dL未満である個体に投与するための、請求項１２又は１３に記載の経口剤形。
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
オピオイド治療法又は維持管理を受けている薬物依存性又はオピオイド耐性妊娠対象により出産された胎児のオピオイド依存性を低減又は予防するのに有効な量のオピオイドアンタゴニストを含む、前記胎児のオピオイド依存症を低減又は予防するための医薬組成物であって、
前記オピオイドアンタゴニストが、前記妊娠対象の血液循環に到達するが、血液脳関門によって前記妊娠対象の脳からかなり排除され、前記オピオイドアンタゴニストが胎盤を通り抜けて胎児脳に入る、医薬組成物。
【請求項２】
前記オピオイドアンタゴニストが６β−ナルトレキソールを含む、請求項１に記載の医薬組成物。
【請求項３】
前記オピオイドアンタゴニストが、ニュートラルアンタゴニストであり、インバースアゴニストではない、請求項１又は２に記載の医薬組成物。
【請求項４】
前記オピオイドアンタゴニストが、ナロキソン又はナルトレキソンを含まない、請求項１から３のいずれか一項に記載の医薬組成物。
【請求項５】
前記オピオイドアンタゴニストが、毎日２回の分割用量で送達される、請求項１から４のいずれか一項に記載の医薬組成物。
【請求項６】
前記オピオイドアンタゴニストが、約０．１ｍｇ〜約１００ｍｇの１日の投与量範囲で送達される、請求項１から５のいずれか一項に記載の医薬組成物。
【請求項７】
前記組成物が持続性薬物放出製剤を含む、請求項１から６のいずれか一項に記載の医薬組成物。
【請求項８】
前記オピオイドアンタゴニストが経口利用可能な、請求項１から７のいずれか一項に記載の医薬組成物。
【請求項９】
更に、緩和療法と併用される、請求項１から８のいずれか一項に記載の医薬組成物。
【請求項１０】
更に、５−ＨＴアンタゴニストと併用される、請求項１から９のいずれか一項に記載の医薬組成物。
【請求項１１】
前記５−ＨＴアンタゴニストがオンダンセトロンである、請求項１０に記載の医薬組成物。
【請求項１２】
薬物依存性又はオピオイド耐性妊娠対象に、出産前に投与するための、新生児薬物離脱症状又は薬物離脱症候群を低減又は予防するのに有効な量のオピオイドアンタゴニストを含む第１の医薬組成物であって、前記オピオイドアンタゴニストが、前記妊娠対象の前記血液循環に到達するが、前記血液脳関門によって前記妊娠対象の脳からかなり排除され、前記オピオイドアンタゴニストが前記胎盤を通り抜けて前記胎児脳に入る第１の医薬組成物と、
薬物依存性又はオピオイド耐性幼児対象に、出生後に投与するための、前記オピオイドアンタゴニストを含む第２の医薬組成物であって、第２の医薬組成物が、新生児薬物離脱が観察されると投与される継続的なオピオイド維持管理からの前記幼児の離脱を促進するのに有効な量を増加させて投与される第２の医薬組成物と、
を含む、前記新生児離脱症状又は薬物離脱症候群を処置するための組み合わせ医薬組成物。
【請求項１３】
前記オピオイドアンタゴニストが６β−ナルトレキソールを含む、請求項１２に記載の医薬組成物。
【請求項１４】
前記オピオイドアンタゴニストが、ニュートラルアンタゴニストであり、インバースアゴニストではない、請求項１２又は１３に記載の医薬組成物。
【請求項１５】
前記オピオイドアンタゴニストが、ナロキソン又はナルトレキソンを含まない、請求項１２から１４のいずれか一項に記載の医薬組成物。
【請求項１６】
前記オピオイドアンタゴニストが、毎日２回の分割用量で送達される、請求項１２から１５のいずれか一項に記載の医薬組成物。
【請求項１７】
前記オピオイドアンタゴニストが、約０．１ｍｇ〜約１００ｍｇの１日の投与量範囲で送達される、請求項１２から１６のいずれか一項に記載の医薬組成物。
【請求項１８】
前記オピオイドアンタゴニストが持続性薬物放出製剤中に含まれている、請求項１２から１７のいずれか一項に記載の医薬組成物。
【請求項１９】
前記オピオイドアンタゴニストが経口利用可能な、請求項１２から１８のいずれか一項に記載の医薬組成物。
【請求項２０】
更に、緩和療法と併用される、請求項１２から１９のいずれか一項に記載の医薬組成物。
【請求項２１】
更に、５−ＨＴアンタゴニストと併用される、請求項１２から２０のいずれか一項に記載の医薬組成物。
【請求項２２】
前記５−ＨＴアンタゴニストが、オンダンセトロンである、請求項２１に記載の医薬組成物。
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
光線力学的療法による膀胱癌の治療に使用するためのヘキシル５−ＡＬＡエステル（ＨＡＬ）またはその薬学的に許容可能な塩を含む組成物であって、前記組成物が、そのような治療が必要な患者の膀胱へと注入され、前記膀胱内部が、１．５〜１２．５ｍＷ／ｃｍ2のフルエンス率を有する青色光に曝露される、組成物。
【請求項２】
前記青色光が、０．２〜１５．０Ｊ／ｃｍ2の光照射量で提供される、請求項１に記載の使用のための組成物。
【請求項３】
前記膀胱内部が、２．５〜７．０ｍＷ／ｃｍ2のフルエンス率を有する青色光に曝露され、前記青色光が、好ましくは０．３〜８．０Ｊ／ｃｍ2の光照射量で提供される、請求項１または２に記載の使用のための組成物。
【請求項４】
前記膀胱内部が、３．０〜２２．０ｍＷ／ｃｍ2のフルエンス率を有する白色光にさらに曝露され、前記白色光が、好ましくは０．４〜２６．５Ｊ／ｃｍ2の光照射量で提供される、請求項１〜３のいずれか１項に記載の使用のための組成物。
【請求項５】
前記組成物が、ＨＡＬまたはその薬学的に許容可能な塩を含む水溶液であり、好ましくは緩衝水溶液であるＨＡＬまたはその薬学的に許容可能な塩を含む溶液であり、より好ましくは、リン酸緩衝液であるＨＡＬまたはその薬学的に許容可能な塩を含む溶液である、請求項１〜４のいずれか１項に記載の使用のための組成物。
【請求項６】
前記組成物のｐＨが、４．５〜７．５の範囲であり、好ましくは、５．７〜７．２の範囲である、請求項５に記載の使用のための組成物。
【請求項７】
前記組成物が、リン酸二ナトリウム二水物、リン酸二水素カリウム、塩化ナトリウム、塩酸、水酸化ナトリウム、及び水を含む緩衝水溶液である２ｍｇ／ｍｌのＨＡＬ塩酸塩溶液である、請求項１〜６のいずれか１項に記載の使用のための組成物。
【請求項８】
前記膀胱内部が、最初に白色光に曝露され、次いで青色光に曝露される、請求項４〜７のいずれか１項に記載の使用のための組成物。
【請求項９】
青色光膀胱鏡が、前記青色光または前記青色光及び白色光を提供するための光源として使用され、好ましくは、前記青色光膀胱鏡が、市販の青色光膀胱鏡である、請求項１〜８のいずれか１項に記載の使用のための組成物。
【請求項１０】
前記膀胱内部が、２〜２０分の期間、青色光に、または青色光及び白色光に曝露される、請求項１〜９のいずれか１項に記載の使用のための組成物。
【請求項１１】
前記光線力学的療法が、アジュバント療法、またはネオアジュバンド療法であり、好ましくは、膀胱癌の経尿道的切除、または膀胱摘除術に対するアジュバント療法、またはネオアジュバンド療法である、請求項１〜１０のいずれか１項に記載の使用のための組成物。
【請求項１２】
前記アジュバント療法、またはネオアジュバンド療法が、化学療法及び免疫療法、好ましくはＢＣＧ治療から選択される他のアジュバント療法またはネオアジュバンド療法に取って代わるか、または部分的に取って変わる、請求項１１に記載の使用のための組成物。
【請求項１３】
前記患者がＢＣＧ不応患者である、請求項１〜１２のいずれか１項に記載の使用のための組成物。
【請求項１４】
組成物の全重量に対して、０．１〜５重量％のＨＡＬまたはその薬学的に許容可能な塩を含む、請求項１〜１３のいずれか１項に記載の使用のための組成物。
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
少なくとも２種の生存可能細菌の個体群を含む組成物であって、前記個体群の前記種のうちの少なくとも１つが、（ｉ）病原微生物によって利用される１つ以上の炭素源の利用、（ｉｉ）ヒストン脱アセチル化酵素（ＨＤＡＣ）の阻害剤の産生、（ｉｉｉ）インドールまたは他のトリプトファン代謝物の産生、及び（ｉｖ）胆汁酸制御において機能する酵素の産生からなる群から選択される１つ以上の特徴を有する、組成物。
【請求項２】
前記個体群の前記種のうちの少なくとも１つが、図１における１６Ｓ  ｒＤＮＡ配列と少なくとも９７％同一である１６Ｓ  ｒＤＮＡ配列を有する細菌を含む、請求項１に記載の組成物。
【請求項３】
前記個体群の前記種のうちの少なくとも１つが、配列番号６、配列番号７、配列番号８、配列番号９、配列番号１０、配列番号４１、配列番号４２、配列番号４３、配列番号４４、配列番号４５、配列番号５９、配列番号６０、配列番号６１、配列番号６２、配列番号６３若しくは配列番号６４で定義された１６Ｓ  ｒＤＮＡ配列またはこれらの組み合わせを有する細菌を含む、請求項１または２に記載の組成物。
【請求項４】
前記個体群の前記種のうちの少なくとも１つが、Ｃｌｏｓｔｒｉｄｉｕｍ  ｂｏｌｔｅａｅ、Ｃｌｏｓｔｒｉｄｉｕｍ  ｉｎｎｏｃｕｕｍ、Ｃｌｏｓｔｒｉｄｉｕｍ  ｏｒｂｉｓｃｉｎｄｅｎｓ、及びＦｌａｖｏｎｉｆｒａｃｔｏｒ  ｐｌａｕｔｉｉから選択される、請求項１〜３のいずれか一項に記載の組成物。
【請求項５】
前記病原微生物が、Ｃｌｏｓｔｒｉｄｉｕｍ  ｄｉｆｆｉｃｉｌｅである、請求項１〜４のいずれか一項に記載の組成物。
【請求項６】
前記炭素源が、タウロコール酸、グリココール酸、グリコケノデオキシコール酸、タウロケノデオキシコール酸、コール酸、ケノデオキシコール酸、デオキシコール酸、及びこれらの組み合わせからなる群から選択される、請求項１〜５のいずれか一項に記載の組成物。
【請求項７】
前記ＨＤＡＣ阻害剤が、酪酸、イソ吉草酸、イソ酪酸、プロピオン酸、２−メチル−酪酸及びこれらの組み合わせからなる群から選択される、請求項１〜６のいずれか一項に記載の組成物。
【請求項８】
前記酵素が、胆汁酸塩加水分解酵素（ＢＳＨ）、３−α−水酸化ステロイド脱水素酵素（３−α−ＨＳＤＨ）、７−α−水酸化ステロイド脱水素酵素（７−α−ＨＳＤＨ）、１２−α−水酸化ステロイド脱水素酵素（１２−α−ＨＳＤＨ）及びこれらの組み合わせからなる群から選択される、１〜７のいずれか一項に記載の組成物。
【請求項９】
クレード８６、９０、１０１、１３９、１９５、１９７、２０６、２３３、２３８、２４１、２４４、及び２９０から選択されるクレードに由来する生存可能細菌の少なくとも１つの種と、任意でクレーム２０２に由来する生存可能細菌の種と、を含む、組成物。
【請求項１０】
前記少なくとも１つの種が、クレード２３３、クレード１３９、クレード１０１及びこれらの組み合わせから選択される、請求項１０に記載の組成物。
【請求項１１】
前記組成物が、少なくとも５、６、７、８、９、１０、１１、１２、１３、１４、１５、１６、１７、１８、１９または２０種の生存可能細菌を含む、請求項１〜１０のいずれか１項に記載の組成物。
【請求項１２】
前記個体群の前記生存可能細菌の種の少なくとも７５％が、芽胞である、請求項１〜１１のいずれか１項に記載の組成物。
【請求項１３】
前記個体群の前記生存可能細菌の種のすべてが芽胞である、請求項１２に記載の組成物。
【請求項１４】
請求項１〜１３のいずれか１項に記載の組成物と、薬学的に許容される賦形剤と、を含む、製剤。
【請求項１５】
前記製剤が、カプセル剤または錠剤中にある、請求項１４に記載の製剤。
【請求項１６】
それを必要とする対象において、腸内菌共生バランス失調の予防または治療に使用するための、請求項１〜１３のいずれか１項に記載の組成物または請求項１４若しくは１５に記載の製剤。
【請求項１７】
それを必要とする対象において、Ｃｌｏｓｔｒｉｄｉｕｍ  ｄｉｆｆｉｃｉｌｅ感染症の治療、Ｃｌｏｓｔｒｉｄｉｕｍ  ｄｉｆｆｉｃｉｌｅ感染症の予防、またはＣｌｏｓｔｒｉｄｉｕｍ  ｄｉｆｆｉｃｉｌｅ感染症の再発の予防に使用するための、請求項１〜１３のいずれか１項に記載の組成物または請求項１４若しくは１５に記載の製剤。
【請求項１８】
請求項１〜１３のいずれか一項に記載の組成物または請求項１４若しくは１５に記載の製剤を含む、１つの用量単位。
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
（Ｓ）−１−（４−（６−（３，５−ジメチルイソキサゾール−４−イル）−４−（３−フェニルモルホリノ）キナゾリン−２−イル）−１Ｈ−ピラゾール−１−イル）−２−メチルプロパン−２−オールである化合物、またはその薬学的に許容可能な塩。
【請求項２】
請求項１に記載の化合物、またはその薬学的に許容可能な塩を含む、ブロモドメイン含有タンパク質の活性を阻害するための医薬組成物。
【請求項３】
請求項１に記載の化合物、またはその薬学的に許容可能な塩を含む、アセチル化タンパク質に結合することを阻害することによりブロモドメイン含有タンパク質の活性を阻害するための医薬組成物。
【請求項４】
前記アセチル化タンパク質が、遺伝子発現の調節または異常調節に関与するアセチル化ヒストンである、請求項３に記載の方法。
【請求項５】
請求項１に記載の化合物、またはその薬学的に許容可能な塩を含む、ヒトＮＵＴ正中線癌、多発性骨髄腫、バーキットリンパ腫、骨髄性白血病、ＮＰＭ１ｃ変異白血病、Ｔ細胞リンパ芽球性白血病、肝細胞がん腫、膠芽細胞腫、神経芽細胞腫、肉腫、乳がん、大腸がん、肺がん、膵臓がん、卵巣がん、脊索腫、神経内分泌腫瘍、メルケル細胞がん腫、前立腺がん、変形性関節症、関節リウマチ、アルツハイマー病、及びＨＩＶ感染からなる群から選択される疾患または状態の治療または予防のための医薬組成物。
【請求項６】
請求項１に記載の化合物、またはその薬学的に許容可能な塩を含む、ホジキンリンパ腫、非ホジキンリンパ腫、急性骨髄性白血病、慢性骨髄性白血病、及び急性リンパ性白血病からなる群から選択される疾患または状態の治療または予防のための医薬組成物。
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
式（Ｉ）の化合物：
【化１】
2019501134.tif 000001
またはその薬学的に許容し得る塩（式中：
Ｑは、５−メチルピリダジン−３−イル、５−クロロピリダジン−３−イル、６−メチルピリダジン−３−イル、または６−フルオロピリダジン−３−イルであり；
Ｒは、水素、フルオロ、またはメトキシであり；
Ｒ１は、水素、メトキシ、ジフルオロメトキシ、またはトリフルオロメトキシであり；
Ｒ２は、メチルまたはエチルである）。
【請求項２】
Ｑが、６−メチルピリダジン−３−イルまたは６−フルオロピリダジン−３−イルである、請求項１に記載の化合物、またはその薬学的に許容し得る塩。
【請求項３】
Ｒが、水素またはフルオロである、請求項１に記載の化合物、またはその薬学的に許容し得る塩。
【請求項４】
Ｒが、水素である、請求項１に記載の化合物、またはその薬学的に許容し得る塩。
【請求項５】
Ｒ１が、メトキシ、ジフルオロメトキシ、またはトリフルオロメトキシである、請求項１に記載の化合物、またはその薬学的に許容し得る塩。
【請求項６】
Ｒ２が、メチルである、請求項１に記載の化合物、またはその薬学的に許容し得る塩。
【請求項７】
化合物が、
（２Ｓ）−２−メトキシ−２−（３−メトキシフェニル）−Ｎ−［５−［［（３Ｒ）−１−（６−メチルピリダジン−３−イル）ピロリジン−３−イル］アミノ］−１，３，４−チアジアゾール−２−イル］アセトアミド；
（２Ｓ）−Ｎ−［５−［［（３Ｒ）−１−（６−フルオロピリダジン−３−イル）ピロリジン−３−イル］アミノ］−１，３，４−チアジアゾール−２−イル］−２−メトキシ−２−フェニル−アセトアミド；
（２Ｓ）−Ｎ−［５−［［（３Ｒ）−１−（６−フルオロピリダジン−３−イル）ピロリジン−３−イル］アミノ］−１，３，４−チアジアゾール−２−イル］−２−メトキシ−２−（３−メトキシフェニル）アセトアミド；
（２Ｓ）−２−エトキシ−２−（３−メトキシフェニル）−Ｎ−［５−［［（３Ｒ）−１−（６−メチルピリダジン−３−イル）ピロリジン−３−イル］アミノ］−１，３，４−チアジアゾール−２−イル］アセトアミド；
（２Ｓ）−２−（４−フルオロフェニル）−２−メトキシ−Ｎ−［５−［［（３Ｒ）−１−（６−メチルピリダジン−３−イル）ピロリジン−３−イル］アミノ］−１，３，４−チアジアゾール−２−イル］アセトアミド；
（２Ｓ）−２−（４−フルオロ−３−メトキシ−フェニル）−２−メトキシ−Ｎ−［５−［［（３Ｒ）−１−（６−メチルピリダジン−３−イル）ピロリジン−３−イル］アミノ］−１，３，４−チアジアゾール−２−イル］アセトアミド；
（２Ｓ）−２−メトキシ−Ｎ−［５−［［（３Ｒ）−１−（６−メチルピリダジン−３−イル）ピロリジン−３−イル］アミノ］−１，３，４−チアジアゾール−２−イル］−２−［３−（トリフルオロメトキシ）フェニル］アセトアミド；
（２Ｓ）−２−（４−フルオロフェニル）−２−メトキシ−Ｎ−［５−［［（３Ｒ）−１−（５−メチルピリダジン−３−イル）ピロリジン−３−イル］アミノ］−１，３，４−チアジアゾール−２−イル］アセトアミド；
Ｎ−［５−［［（３Ｒ）−１−（５−クロロピリダジン−３−イル）ピロリジン−３−イル］アミノ］−１，３，４−チアジアゾール−２−イル］−２−メトキシ−２−（４−メトキシフェニル）アセトアミド；
（２Ｓ）−［３−（ジフルオロメトキシ）フェニル］−２−メトキシ−Ｎ−［５−［［（３Ｒ）−１−（６−メチルピリダジン−３−イル）ピロリジン−３−イル］アミノ］−１，３，４−チアジアゾール−２−イル］アセトアミド；および
（２Ｓ）−２−［３−（ジフルオロメトキシ）フェニル］−Ｎ−［５−［［（３Ｒ）−１−（６−フルオロピリダジン−３−イル）ピロリジン−３−イル］アミノ］−１，３，４−チアジアゾール−２−イル］−２−メトキシ−アセトアミド
からなる群から選択される、請求項１に記載の化合物、またはその薬学的に許容し得る塩。
【請求項８】
化合物が、
（２Ｓ）−２−メトキシ−２−（３−メトキシフェニル）−Ｎ−［５−［［（３Ｒ）−１−（６−メチルピリダジン−３−イル）ピロリジン−３−イル］アミノ］−１，３，４−チアジアゾール−２−イル］アセトアミド；
（２Ｓ）−Ｎ−［５−［［（３Ｒ）−１−（６−フルオロピリダジン−３−イル）ピロリジン−３−イル］アミノ］−１，３，４−チアジアゾール−２−イル］−２−メトキシ−２−（３−メトキシフェニル）アセトアミド；
（２Ｓ）−２−エトキシ−２−（３−メトキシフェニル）−Ｎ−［５−［［（３Ｒ）−１−（６−メチルピリダジン−３−イル）ピロリジン−３−イル］アミノ］−１，３，４−チアジアゾール−２−イル］アセトアミド；
（２Ｓ）−２−（４−フルオロフェニル）−２−メトキシ−Ｎ−［５−［［（３Ｒ）−１−（６−メチルピリダジン−３−イル）ピロリジン−３−イル］アミノ］−１，３，４−チアジアゾール−２−イル］アセトアミド；
（２Ｓ）−２−（４−フルオロ−３−メトキシ−フェニル）−２−メトキシ−Ｎ−［５−［［（３Ｒ）−１−（６−メチルピリダジン−３−イル）ピロリジン−３−イル］アミノ］−１，３，４−チアジアゾール−２−イル］アセトアミド；
（２Ｓ）−２−メトキシ−Ｎ−［５−［［（３Ｒ）−１−（６−メチルピリダジン−３−イル）ピロリジン−３−イル］アミノ］−１，３，４−チアジアゾール−２−イル］−２−［３−（トリフルオロメトキシ）フェニル］アセトアミド；
（２Ｓ）−２−（４−フルオロフェニル）−２−メトキシ−Ｎ−［５−［［（３Ｒ）−１−（５−メチルピリダジン−３−イル）ピロリジン−３−イル］アミノ］−１，３，４−チアジアゾール−２−イル］アセトアミド；
（２Ｓ）−［３−（ジフルオロメトキシ）フェニル］−２−メトキシ−Ｎ−［５−［［（３Ｒ）−１−（６−メチルピリダジン−３−イル）ピロリジン−３−イル］アミノ］−１，３，４−チアジアゾール−２−イル］アセトアミド；および
（２Ｓ）−２−［３−（ジフルオロメトキシ）フェニル］−Ｎ−［５−［［（３Ｒ）−１−（６−フルオロピリダジン−３−イル）ピロリジン−３−イル］アミノ］−１，３，４−チアジアゾール−２−イル］−２−メトキシ−アセトアミド
からなる群から選択される、請求項１に記載の化合物、またはその薬学的に許容し得る塩。
【請求項９】
請求項１〜８のいずれか１項に記載の化合物、またはその薬学的に許容し得る塩と、少なくとも１種の薬学的に許容し得る希釈剤または担体とを含む医薬組成物。
【請求項１０】
請求項１〜８のいずれか１項に記載の化合物、またはその薬学的に許容し得る塩を含む医薬品。
【請求項１１】
ＧＬＳ１介在疾患の治療における使用のための、請求項９に記載の医薬組成物、または請求項１０に記載の医薬品。
【請求項１２】
ＧＬＳ１介在疾患の治療のための医薬品の製造のための、請求項１〜８のいずれか１項に記載の化合物、またはその薬学的に許容し得る塩の使用。
【請求項１３】
ＧＬＳ１介在疾患が癌である、請求項１１に記載の医薬組成物もしくは医薬品、または請求項１２に記載の使用。
【請求項１４】
癌が、乳癌、肺癌、膵臓癌、腎癌、または肝細胞癌である、請求項１３に記載の医薬組成物もしくは医薬品または使用。
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
基地局におけるワイヤレス通信のための方法であって、
受信機へのデータの送信用の送信時間間隔(TTI)におけるリソースブロック(RB)を含むリソース割振りを識別するステップと、
前記RBの中に含まれるべき制御情報を識別するステップと、
前記TTIで送信時間間隔レベル(TTI-level)の共通制御信号を使用して、前記RB内での前記制御情報のロケーションをシグナリングするステップと、
前記リソース割振りの中に含まれる前記RB内で前記データとともに前記制御情報を多重化するステップと、前記制御情報および前記データを有する前記RBを含む前記リソース割振りを含むワイヤレス送信を送信するステップと
を備える方法。
【請求項２】
多重化する前記ステップが、
前記制御情報を1つまたは複数の制御リソース要素(RE)にフォーマットするステップと、
前記データを複数のデータREにフォーマットするステップと、
前記複数のデータREとともに前記1つまたは複数の制御REを多重化するステップとを備える、
請求項1に記載の方法。
【請求項３】
多重化する前記ステップが、前記RBを含む前記リソース割振りの1つまたは複数のシンボル内での、1つまたは複数のデータリソース要素(RE)との1つまたは複数の制御REの周波数分割多重化(FDM)、前記RBを含む前記リソース割振りの1つまたは複数のシンボル内での、1つまたは複数のデータREとの1つまたは複数の制御REの時分割多重化(TDM)、および前記RBを含む前記リソース割振りの1つまたは複数のシンボル内での、1つまたは複数のデータREとの1つまたは複数の制御REのFDMとTDMとの組合せ、あるいはそれらの組合せを備える、請求項1に記載の方法。
【請求項４】
前記制御情報が、前記RBを含む前記リソース割振りを復調する際に前記受信機によって使用するための1つまたは複数のパラメータをさらに備える、請求項1に記載の方法。
【請求項５】
前記制御情報が、変調およびコーディング方式(MCS)表示、冗長バージョン(RV)表示、新規データインジケータ(NDI)、送信レイヤ数、スケジューリングパラメータ、またはデータ肯定応答のうちの1つまたは複数をさらに備える、請求項4に記載の方法。
【請求項６】
前記リソース割振りが複数のRBを備え、前記複数のRBの各々が前記制御情報の少なくとも一部分を含む、請求項1に記載の方法。
【請求項７】
前記制御情報が、マルチユーザ多入力多出力(MU-MIMO)システムにおける複数の受信機のためのものである、請求項1に記載の方法。
【請求項８】
前記制御情報に適用される変調およびコーディング方式(MCS)の表示を送信するステップをさらに備え、前記制御情報に適用される前記MCSが、前記受信機へ送信されるべき前記データに適用されるMCSとは異なる、
請求項1に記載の方法。
【請求項９】
ユーザ機器(UE)におけるワイヤレス通信のための方法であって、
制御情報およびデータを有する、送信時間間隔(TTI)におけるリソースブロック(RB)を含むリソース割振りを含むワイヤレス送信を受信するステップと、
前記RB内での前記制御情報のロケーションを示す、送信時間間隔レベル(TTI-level)の共通制御信号を前記TTIで受信するステップと、
前記リソース割振りの中に含まれる前記RBの中で送信された前記制御情報および前記データを多重化解除するステップと、
前記制御情報を復調するステップと、
前記制御情報に少なくとも部分的に基づいて前記データを復調するステップと
を備える方法。
【請求項１０】
制御REおよびデータREが、時分割多重化(TDM)、周波数分割多重化(FDM)、またはそれらの組合せによって多重化される、請求項9に記載の方法。
【請求項１１】
前記制御情報が、後続の送信時間間隔(TTI)のための制御情報を備える、請求項9に記載の方法。
【請求項１２】
シグナリングが、1つまたは複数のマルチユーザ多入力多出力(MU-MIMO)ユーザのための他の制御情報のロケーションをさらに備え、前記方法が、
前記RBを含む前記リソース割振りを復調するとき、前記他の制御情報の前記ロケーションの周辺でレートマッチングさせるステップをさらに備える、
請求項9に記載の方法。
【請求項１３】
基地局におけるワイヤレス通信のための装置であって、
受信機へのデータの送信用の、送信時間間隔(TTI)におけるリソースブロック(RB)を含むリソース割振りを識別するための手段と、
前記RBの中に含まれるべき制御情報を識別するための手段と、
前記TTIで送信時間間隔レベル(TTI-level)の共通制御信号を使用して、前記RB内での前記制御情報のロケーションをシグナリングするための手段と、
前記リソース割振りの中に含まれる前記RB内で前記データとともに前記制御情報を多重化するための手段と、前記制御情報および前記データを有する前記RBを含む前記リソース割振りを含むワイヤレス送信を送信するための手段と
を備える装置。
【請求項１４】
ユーザ機器(UE)におけるワイヤレス通信のための装置であって、
制御情報およびデータを有する、送信時間間隔(TTI)におけるリソースブロック(RB)を含むリソース割振りを含むワイヤレス送信を受信するための手段と、
前記RB内での前記制御情報のロケーションを示す、送信時間間隔レベル(TTI-level)の共通制御信号を前記TTIで受信するための手段と、
前記リソース割振りの中に含まれる前記RBの中で送信された前記制御情報および前記データを多重化解除するための手段と、
前記制御情報を復調するための手段と、
前記制御情報に少なくとも部分的に基づいて前記データを復調するための手段と
を備える装置。
【請求項１５】
実行されたとき、コンピュータに請求項1から12のいずれか一項に記載の方法のステップを実行させる命令を備えるコンピュータプログラム。
【誤訳訂正書】
【提出日】令和1年12月5日(2019.12.5)
【誤訳訂正１】
【訂正対象書類名】明細書
【訂正対象項目名】００３９
【訂正方法】変更
【訂正の内容】
【００３９】
表１：ゼオライト組成物に対する、反応分散物中のアルミニウム不足度Ａｌ／（Ａｌ＋Ｓｉ）の依存性の例（概数データ）
【表１】
2019501290.tif 000001